(57)【要約】ソールと、第１開口と第２開口とを有するアッパーと、シューレース手段とを有し；前記アッパーは、複数の第１ハトメを有する第１側縁部と、複数の第１ハトメの間に配置されシューレース手段が係合する１以上の第２ハトメを有する第２側縁部と、第２開口を横断する横方向および前記横方向に直交し足の甲に沿った斜め前後方向の双方に、前記第２ハトメが前記第１ハトメに対し移動するのを可能とする可動部と、足の内側面、外側面、爪先、甲および背面を覆い、前記第１側縁部を含み、かつ、前記第２側縁部および可動部を除く主部とを備え、フットフラットからヒールライズに至る間に、前記第２ハトメに係合する前記シューレース手段のＶ字状の部位により前記第２側縁部に働く第１引張力および第２引張力の合力の方向が変化するのに伴い、前記第２ハトメが前記可動部を介して主部に対し前記横方向および斜め前後方向の双方に相対的に変位することを特徴とする靴。
2011004619.tif 000002
【特許請求の範囲】
【請求項１】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着地時に脚が上方に出る第１開口と、前記第１開口の前方に設けられた第２開口とを有しており、前記２つの開口は、前後に互いに連なっており；
前記アッパーは、
前記第２開口の側縁に沿って設けられ前記シューレース手段が通過すると共に係合する複数の第１ハトメを有する第１側縁部と、
前記複数の第１ハトメの間に配置され前記シューレース手段が通過すると共に係合する１以上の第２ハトメを有する第２側縁部と、
前記第２開口を横断する横方向および前記横方向に直交し足の甲に沿った斜め前後方向に、前記第２ハトメが前記第１ハトメに対し移動するのを可能とする可動部と、
足の内側面、外側面、爪先、甲および背面を覆い、前記第１側縁部を含み、かつ、前記第２側縁部および可動部を除く主部とを備え、
フットフラットからヒールライズに至る間に、前記第２ハトメに係合する前記シューレース手段のＶ字状の部位により前記第２側縁部に働く第１引張力および第２引張力の合力の方向が変化するのに伴い、前記第２ハトメを含む第２側縁部が前記可動部を介して主部に対し前記横方向および斜め前後方向に相対的に変位することを特徴とする靴。
【請求項２】
請求項１の靴において、前記第２ハトメの前記斜め前後方向の前方には前記第１ハトメのうちの１つが隣接し、かつ、前記ハトメの前記斜め前後方向の後方には前記第１ハトメのうちの別の１つが隣接している。
【請求項３】
請求項２の靴において、前記複数の第１ハトメは前記斜め前後方向に互いに隣接する第１ハトメを包含し、
前記斜め前後方向に互いに隣接する第１ハトメ間の第１距離よりも前記第２ハトメとその前方の第１ハトメまでの第２距離が大きく、かつ、
前記第１距離よりも前記第２ハトメとその後方の第１ハトメまでの第３距離が大きい。
【請求項４】
請求項１の靴において、前記主部の内部または外部の空間において前記足の内側面または外側面に沿って前記第２開口から斜め後方の下方に向って延び前記足の内側面または外側面を覆うサイドパネルを更に備え、
前記サイドパネルが前記第２ハトメおよび前記可動部を包含し、
前記第１ハトメが形成された前記第１側縁部が前記サイドパネルの前後で分断されて分断部分が前記主部に形成され、
前記分断部分に前記サイドパネルが配置されている。
【請求項５】
請求項４の靴において、前記分断部分の前縁と前記サイドパネルの前縁との間には、前記斜め後方の下方に向って延びる前記サイドパネルが前記分断部分の前縁に向って相対的に接近することを許容する前隙間が形成されており、これにより、前記サイドパネルに設けた第２ハトメが前記第１ハトメに対し前記斜め前後方向の前方および前記横方向に相対移動可能となっている。
【請求項６】
請求項４の靴において、前記分断部分の後縁と前記サイドパネルの後縁との間には、前記斜め後方の下方に向って延びる前記サイドパネルが前記分断部分の後縁に向って相対的に接近することを許容する後隙間が形成されており、これにより、前記サイドパネルに設けた第２ハトメが前記第１ハトメに対し前記斜め前後方向の後方および前記横方向に相対移動可能となっている。
【請求項７】
請求項４の靴において、前記分断部分を形成するシート状の部材の曲げ剛性が前記分断部分の前後の前記主部を形成する部材の曲げ剛性よりも小さいか又は縮み易いシート状の部材で形成され、
前記分断部分のシート状の部材の曲げ剛性よりも前記サイドパネルを形成する部材の曲げ剛性が大きい。
【請求項８】
請求項７の靴において、前記分断部分は内皮と外皮とを有するポケット状に形成され、
前記内皮と外皮とは、前記分断部分の前縁および後縁において互いに前記横方向に離間している。
【請求項９】
請求項８の靴において、前記分断部分のシート状の部材は前記分断部分の前後の前記主部を形成する部材よりも薄い。
【請求項１０】
請求項４の靴において、足の内側の第１中足骨の骨頭から骨底の間の位置に１以上の前記第２ハトメが設けられており、かつ、足の内側において前記中足骨の骨底よりも後方の部位および前記中足骨の骨頭よりも前方の部位に前記第２ハトメが設けられていない。
【請求項１１】
請求項４の靴において、前記分断部分は内皮と外皮とを有するポケット状に形成され、
前記内皮は前記サイドパネルの内表面に接し、前記内皮の内表面は足の側面に接する前記主部の内表面よりも滑らかである。
【請求項１２】
請求項４の靴において、前記サイドパネルの表面に接する前記内皮の外表面および前記外皮の内表面は前記主部の外表面よりも滑らかである。
【請求項１３】
請求項４の靴において、前記分断部分は前方に行くに従い上方に向かう斜め方向に沿って前記ソールの上面から前記第２開口まで延び、前記内皮および外皮は前記斜め方向に伸びることが可能な織物、編物またはメッシュ状のシート状物で形成されている。
【請求項１４】
請求項４の靴において、前記サイドパネルは前記ソールに固定された下端部と、前記第２側縁部を形成する先端部と、前記下端部と前記第２側縁部とを連ね前記可動部を構成する中間部とを包含し、
前記中間部および第２側縁部が前記ソールに前記下端部を介してのみ連らなっている。
【請求項１５】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
前記第２開口の側縁に沿って設けられ前記シューレース手段が通過すると共に係合する複数の第１ハトメを有する側縁部と、
足の内側面または外側面に沿って前記第２開口から下方ないし斜め下方に向って延び前記足の内側面または外側面を覆うサイドパネルと、
足の前記内側面、前記外側面、爪先、甲および背面を覆い前記側縁部を含み、かつ、サイドパネルを除く主部とを備え、ここにおいて、前記サイドパネルは、
前記サイドパネルの先端に設けられ前記シューレース手段が通過すると共に係合する第２ハトメを有し前記主部に付着されていない先端部と、
前記主部および／または前記ソールに付着される下端部と、
前記先端部と前記下端部との間に配置された中間部とを備え、
前記サイドパネルの先端部は前記第２開口を横断する横方向に直交し足の甲に沿った斜め前後方向に前記主部に対し相対移動可能であり、
第１ハトメを形成した側縁部が前後に分断された分断部分に前記サイドパネルが配置され、
前記斜め前後方向の幅において前記サイドパネルの幅が前記分断部分の幅よりも小さく、
前記分断部分を形成するシート状の部材が前記分断部分の前後の前記主部を形成する部材よりも曲げ剛性において小さいか又は縮み易く、
前記分断部分のシート状の部材の曲げ剛性よりも前記サイドパネルを形成する部材の曲げ剛性の方が大きい。
【請求項１６】
請求項１５の靴において、前記分断部分のシート状の部材は前記分断部分の前後の前記主部を形成する部材よりも薄い。
【請求項１７】
請求項１５の靴において、足の内側の第１中足骨の骨頭から骨底の間の位置に１以上の前記第２ハトメが設けられており、かつ、足の内側において前記中足骨の骨底よりも後方の部位および前記中足骨の骨頭よりも前方の部位に前記第２ハトメが設けられていない。
【請求項１８】
請求項１５の靴において、前記分断部分は内皮と外皮とを有するポケット状に形成され、
前記内皮は前記サイドパネルの内表面に接し、前記内皮の内表面は足の側面に接する前記主部の内表面よりも滑らかである。
【請求項１９】
請求項１５の靴において、前記分断部分は内皮と外皮とを有するポケット状に形成され、前記サイドパネルの表面に接する前記内皮の外表面および前記外皮の内表面は前記主部の外表面よりも滑らかである。
【請求項２０】
請求項１５の靴において、前記分断部分は前方に行くに従い上方に向かう斜め方向に沿って前記ソールの上面から前記第２開口まで延び、前記内皮および外皮は前記斜め方向に伸びることが可能な織物、編物またはメッシュ状のシート状物で形成されている。
【請求項２１】
請求項１５の靴において、前記サイドパネルの下端部は前記ソールに固定され、前記中間部および先端部が前記ソールに前記下端部を介してのみ連らなっている。
【請求項２２】
請求項２１の靴において、前記分断部分の前縁と前記サイドパネルの前縁との間には、前記ソールから前記第２開口に近づくに従い斜め前方に向って延びる前記サイドパネルが前記分断部分の前縁に向って相対的に接近することを許容する前隙間が形成されており、これにより、前記サイドパネルに設けた第２ハトメが前記第１ハトメに対し前記斜め前後方向の前方に相対移動可能となっている。
【請求項２３】
請求項２１の靴において、前記分断部分の後縁と前記サイドパネルの後縁との間には、前記ソールから前記第２開口に近づくに従い斜め前方に向って延びる前記サイドパネルが前記分断部分の後縁に向って相対的に接近することを許容する後隙間が形成されており、これにより、前記サイドパネルに設けた第２ハトメが前記第１ハトメに対し前記斜め前後方向の後方に相対移動可能となっている。
【発明の詳細な説明】
【技術分野】
【０００１】
本発明は紐締めフィッティング構造を備えた靴に関する。
【背景技術】
【０００２】
シューレースはアッパーを足にフィットさせる。足にフィットしたアッパーは足を支持する。【０００３】
しかし、ＭＰ関節の背屈時に足の形状が変化し、そのため、足囲も変化する。また、靴を長時間着用すると、足囲が大きくなることが多い。このような場合、靴の中の足はアッパーによって圧迫されるであろう。また、動作中に靴と足との間にズレが生じやすい。
【先行技術文献】
【特許文献】
【０００４】
【特許文献１】特開２００６−２５８（要約）
【特許文献２】特開平１１−１８８０３号（要約）
【特許文献３】実公昭３３−５２４０号（第１図）
【特許文献４】実公平５−９８４３号（第３図）
【特許文献５】EPO 329,392 A2(abstract)
【特許文献６】特開平４−４４７０１号（第２頁右上欄）
【特許文献７】WO 2004/93587 A1、US 2006/0162190 A1(abstract)
【０００５】
文献１の靴において、伸縮性のアッパーの内側には非伸縮性のベルトが固着されており、非伸縮性のベルトがアッパーの伸びを妨げる。この文献１の靴において、前記非伸縮性のベルトの先端にハトメ（ループ）が設けられており、したがって、着用中にハトメが足の周方向に移動することはないだろう。
また、ベルトが互いに前後方向に連なっており、かつ、アッパーの伸縮部材にベルトの先端が付着されており、そのため、ベルトの自由な変位が妨げられるだろう。【０００６】
文献２の靴は足長方向のサイズが可変である。足長方向のサイズを可変とするために、この靴においては、アッパーの前後方向に伸縮自在な可撓性布部が中足部に設けられている。可撓性布部は前記周方向には伸縮しない。そのため、可撓性布部に設けられたハトメは周方向に移動しないから、着用中に足が圧迫されるだろう。【０００７】
文献３の靴は前足の側面に広い伸縮片を有する。広い伸縮片は足に圧迫を感じさせにくいかもしれない。しかし、広い伸縮片は足の側面を支えることができないだろう。
また、ハトメ飾りは前後に連なっているので、ハトメは前後に移動しないだろう。したがって、ハトメの自由な移動が妨げられる。【０００８】
文献４のハトメ部材は、ショア硬度が９０〜１００の樹脂で形成されている。ショア硬度が９０〜１００の樹脂は殆ど伸びないだろう。【０００９】
文献５の靴は伸びない支持スターラップにより後足を支持する。【００１０】
文献６の靴はアッパーの内皮と外皮との間に挟まれた一対のサイドパネル（緊締帯）を有する。各サイドパネルはゴムシートや伸縮布で構成されていてもよく、各々３つのハトメを有する。この文献６の靴は人の足囲（周長）の大きさに応じてサイドパネルが周方向に伸縮して緊締するのを狙っている。【００１１】
しかし、文献６の発明は同公報の（第１頁右欄や）第２頁右下欄に記述されているように、シューレースで連結されたサイドパネルが甲皮上を前後に移動せず、足の甲の規定の位置を確実に緊締することを目的としており、かつ、サイドパネルが幅広であり、したがって、サイドパネルに形成したハトメは足の前後方向の移動が全く意図されておらず、実質的に移動しないと考えられる。
また、この文献６の発明において、ゴムシートや伸縮布で構成されたサイドパネルは足の側面の広い部分を覆っており、また、中足骨よりも後方の部位まで覆っている。そのため、アッパーによる着用者の足の保持や支持機能が損なわれるだろう。【００１２】
文献７の靴においては、ループからなるハトメが伸縮部の近傍に設けられている。同文献７のＦＩＧ．５を見ると、ループが伸縮部に接続されているように見えるが、同文献のＦＩＧ．３〜６を見て分るとおり、ループはアッパーの硬い部位に設けられている。【００１３】
そのため、同文献のループからなるハトメは周方向に移動することができない。
【発明の概要】
【発明が解決しようとする課題】
【００１４】
本発明の目的は足を安定した状態で支持すると共に、足囲の変化した場合の足への圧迫および／または動作中の靴と足とのズレを減少させる靴を提供することである。
【課題を解決するための手段】
【００１５】
本発明の第１の態様の靴は、紐締めフィッティング構造を備えた靴であって、着地の衝撃を吸収するソールと、足の甲を包むアッパーと、前記アッパーを足の甲にフィットさせるためのシューレース手段とを有し、前記アッパーは、着地時に脚が上方に出る第１開口と、前記第１開口の前方に設けられた第２開口とを有しており、前記２つの開口は、前後に互いに連なっており；前記アッパーは、前記第２開口の側縁に沿って設けられ前記シューレース手段が通過すると共に係合する複数の第１ハトメを有する第１側縁部と、前記複数の第１ハトメの間に配置され前記シューレース手段が通過すると共に係合する１以上の第２ハトメを有する第２側縁部と、前記第２開口を横断する横方向および前記横方向に直交し足の甲に沿った斜め前後方向に、前記第２ハトメが前記第１ハトメに対し移動するのを可能とする可動部と、足の内側面、外側面、爪先、甲および背面を覆い、前記第１側縁部を含み、かつ、前記第２側縁部および可動部を除く主部とを備え、フットフラットからヒールライズに至る間に、前記第２ハトメに係合する前記シューレース手段のＶ字状の部位により前記第２側縁部に働く第１引張力および第２引張力の合力の方向が変化するのに伴い、前記第２ハトメを含む第２側縁部が前記可動部を介して主部に対し前記横方向および斜め前後方向に相対的に変位することを特徴とする。
【発明の効果】
【００１６】
フットフラットからヒールライズにいたる間に、ＭＰ関節の背屈により足の形状が変化し、この足の形状変化に応じてシューレースに働く２つの引張力が変化して、前記引張力の合力の方向が変化する。この合力の方向の変化で、前記合力の方向が前記横方向となるように、または横方向に近づくように、第２ハトメが可動部を介して斜め前後方向の前方または後方に変位して、力の釣り合いが保たれる。同時に、第２ハトメは横方向に変位することで、シューレースに作用する引張力が局所的に増大するのを抑制する。
こうして、第２ハトメおよび当該第２ハトメに近い第１ハトメに大きな荷重の生じることなくアッパーが足にフィットする。【００１７】
本発明の第２の態様の靴は、紐締めフィッティング構造を備えた靴であって、着地の衝撃を吸収するソールと、足の甲を包むアッパーと、前記アッパーを足の甲にフィットさせるためのシューレース手段とを有し、前記アッパーは、着用時に脚が上方に出る第１開口と、前記第１開口の前方に設けられた第２開口とを有しており、前記２つの開口は、前後に互いに連なっており；前記アッパーは、前記第２開口の側縁に沿って設けられ前記シューレース手段が通過すると共に係合する複数の第１ハトメを有する側縁部と、足の内側面または外側面に沿って前記第２開口から下方ないし斜め下方に向って延び前記足の内側面または外側面を覆うサイドパネルと、足の前記内側面、前記外側面、爪先、甲および背面を覆い前記側縁部を含み、かつ、サイドパネルを除く主部とを備え、ここにおいて、前記サイドパネルは、前記サイドパネルの先端に設けられ前記シューレース手段が通過すると共に係合する第２ハトメを有し前記主部に付着されていない先端部と、前記主部および／または前記ソールに付着される下端部と、前記先端部と前記下端部との間に配置された中間部とを備え、前記サイドパネルの先端部は前記第２開口を横断する横方向に直交し足の甲の上面に沿った斜め前後方向に前記主部に対し相対移動可能であり、第１ハトメを形成した側縁部が前後に分断された分断部分に前記サイドパネルが配置され、前記斜め前後方向の幅において前記サイドパネルの幅が前記分断部分の幅よりも小さく、前記分断部分を形成するシート状の部材が前記分断部分の前後の前記主部を形成する部材よりも曲げ剛性において小さいか又は縮み易く、前記分断部分のシート状の部材の曲げ剛性よりも前記サイドパネルを形成する部材の曲げ剛性の方が大きい。【００１８】
発明の原理：
フットフラットからヒールライズに至る間にＭＰ関節が背屈するのに伴い、アッパーの上部は「く」の字状（アングル状）に屈曲し、縮もうとする。この際、アッパーの剛性はアッパーの屈曲を妨げる原因となり、アッパーの変形に伴い第１開口に近づくに従い第２開口の横方向の幅が大きくなるよう第２開口が拡がろうとする。【００１９】
ここで、第２の態様の靴において、分断部分のシート状の部材は曲げ剛性が小さいか又は縮み易い柔軟な部材で形成されており、したがって、アッパーの屈曲を妨げない。そのため、第２開口の横方向の幅が拡がるのを抑制し得る。
すなわち、アッパーが拡がりにくく、したがって、アッパーが足にフィットした状態が維持される。【００２０】
前記縮み易い柔軟な部材はシート状のいわゆる伸縮部材であり、ゴム弾性を持ち、繰り返し伸び縮みする樹脂シートやゴムシートを採用することができる。【００２１】
一方、サイドパネルの前後方向の幅は分断部分のそれよりも小さい。かかる幅の小さいサイドパネルは前後のアッパーの主部の動きや分断部分の変形に拘束されることなく、足の屈曲に応じて比較的自由に変形したり足の動きに追従することができる。そのため、サイドパネルに設けた第２ハトメは第１ハトメに対し相対的に自由に変位することができる。したがって、足に余分な負荷が生じることなくシューレースの締付力がアッパーに働く。
それ故、この靴は長時間にわたる走行や歩行を含む運動に適している。【００２２】
更に、柔軟な分断部分は高剛性のサイドパネルにより足の側面が安定して支持される。
以上の原理から理解できるように、本第２態様において第２ハトメは第１ハトメに対し前後方向に相対変位するので、足の周方向および横方向に必ずしも相対変位する必要はない。【００２３】
本明細書において、横方向に直交し足の甲の上面に沿った斜め前後方向とは、第２開口を横断する横方向に直交する方向であって、かつ、第２開口の側縁に沿ってハトメが並んでいる方向であり、したがって、ソールの底面に対し斜めとなる。【００２４】
本発明において、第２ハトメが可動部を介して主部に対し横方向および斜め前後方向の双方向に変位するためには、前記可動部が伸縮性のある伸縮部で構成されている場合の他に、非伸縮性のサイドパネルで構成されていてもよい。【００２５】
本発明において、「シューレース手段」の用語はシューレースが１本のみではなく、２本以上設けられる場合を含むことを意味する。【００２６】
本発明において、「ハトメ」の用語はシューレースが通過する孔自体を意味する。
したがって、本発明の「ハトメ」にはループ材からなるハトメ部材で形成された貫通孔が含まれ、また、Ｕ字状の金具や樹脂などからなるハトメ部材で形成されたハトメが含まれる。【００２７】
本発明において、伸縮し易い伸縮部は、素材のヤング率が小さいゴム弾性を有するシートや帯状部材の他に、本質的に伸縮性を有しない素材に円形、長円形、方形の複数の貫通孔が１列、２列または千鳥状に形成されて伸縮性が発現されたもの（変形しやすいもの）でもよい。また、伸縮部は伸縮性を有する２枚のシート状部材が２重に重ねられて形成されてもよい。【００２８】
本発明において、伸縮部よりも伸縮し難い主部は、伸縮性のあるメッシュ材を非伸縮性のテープ材で拘束して本質的に伸縮しないようにしてもよい。
【図面の簡単な説明】
【００２９】
【図１】図１は本発明の第１実施例の靴を示す概略斜視図である。
【図２】図２は同実施例の靴を着用して踵を上げた背屈状態における靴を示す概略斜視図である。
【図３】図３は同実施例の靴と足の骨格との関係を足の内側から見た状態で示す概略側面図である。
【図４】図４は同実施例の靴と足の骨格との関係を足の外側から見た状態で示す概略側面図である。
【図５】図５は同実施例の靴の内部を足の内側から見た概略斜視図である。
【図６】図６は同実施例の靴の内部を足の外側から見た概略斜視図である。
【図７】図７は同実施例の靴を足の内側から見た概略側面図である。
【図８】図８は同実施例の靴を着用して踵を上げた背屈状態における靴を示す概略側面図である。
【図９】図９は同実施例の靴を第２ハトメおよびサイドパネルを含む部位で切断して示すアッパーの横断面図である。
【図１０】図１０は第２実施例の靴を示す概略斜視図である。
【図１１】図１１は同実施例の靴を第２ハトメおよびサイドパネルを含む部位で切断して示すアッパーの横断面図である。
【図１２】図１２は本発明の第３実施例の靴を示す概略斜視図である。
【図１３】図１３は同実施例の靴と足の骨格との関係を足の内側から見た状態で示す概略側面図である。
【図１４】図１４は同実施例の靴と足の骨格との関係を足の外側から見た状態で示す概略側面図である。
【図１５】図１５Ａは同実施例の靴を第２ハトメおよび伸縮部を含む部位で切断して示すアッパーの横断面図、図１５Ｂは同実施例の靴を補強材および伸縮部を含む部位で切断して示すアッパーの横断面図である。
【図１６】図１６は本発明の第４実施例の靴を内側前方から見て示す概略斜視図である。
【図１７】図１７は同実施例の靴を外側前方から見て示す概略斜視図である。
【図１８】図１８は同実施例の靴と足の骨格との関係を足の内側から見た状態で示す概略側面図である。
【図１９】図１９は同実施例の靴と足の骨格との関係を足の外側から見た状態で示す概略側面図である。
【図２０】図２０Ａは同実施例の靴を第２ハトメを含む伸縮部の部位で切断して示すアッパーの横断面図、図２０Ｂは同実施例の靴を補強部を含む伸縮部の部位で切断して示すアッパーの横断面図である。
【図２１】図２１Ａ、図２１Ｂおよび図２１Ｃは、それぞれ、試験例１、２および３の靴において、踵の上昇量Ｈとハトメ間の距離の変化量ΔＤとの関係を示すグラフである。
【図２２】図２２Ａおよび図２２Ｂは、それぞれ、試験例４および比較例の靴において、踵の上昇量Ｈとハトメ間の距離の変化量ΔＤとの関係を示すグラフである。
【図２３】図２３Ａ、図２３Ｂ、図２３Ｃ、図２３Ｄ、図２３Ｅ、図２３Ｆおよび図２３Ｇは、それぞれ、試験例１１，１２，１３，１４，１５，１６および１７の第２ハトメに相当する部位を示す平面図である。
【図２４】図２４は官能試験の結果を示す図表である。
【図２５】図２５Ａ、図２５Ｂ、図２５Ｃおよび図２５Ｄは、それぞれ、試験例１１，１２，１７および１６の靴について、踵の上昇量Ｈとハトメ間の距離の変化量ΔＤとの関係を示すグラフである。
【図２６】図２６Ａおよび図２６Ｂは、それぞれ、試験例１１〜１７に用いた靴においてハトメと足の骨格との位置関係を示す内側面図および外側面図である。
【図２７】図２７は第５実施例にかかるハトメとシューレースの動きを概念的に示す平面図である。
【図２８】図２８は本発明の第５実施例の靴を示す概略斜視図である。
【図２９】図２９は同実施例の靴を着用して踵を上げた背屈状態における靴を示す概略斜視図である。
【図３０】図３０は同実施例の靴と足の骨格との関係を足の内側から見た状態で示す一部破断した概略側面図である。
【図３１】図３１は同実施例の靴と足の骨格との関係を足の外側から見た状態で示す一部破断した概略側面図である。
【図３２】図３２は同実施例の靴の内部を足の内側から見た概略斜視図である。
【図３３】図３３は同実施例の靴を足の内側から見たフットフラット概略側面図である。
【図３４】図３４は同実施例の靴を着用して踵を上げたヒールライズにおける靴を示す概略側面図である。
【図３５】図３５は同実施例の靴を足の外側から見たフットフラットにおける概略側面図である。
【図３６】図３６は同実施例の靴を着用して踵を上げたヒールライズにおける靴を示す概略側面図である。
【図３７】図３７Ａは同実施例の靴を分断部分を含む部位で切断して示すアッパーの概略横断面図、図３７Ｂは同実施例の靴を分断部分を含む部位で切断して示すアッパーの平面断面図である。
【図３８】図３８Ａ、図３８Ｂおよび図３８Ｃは、それぞれ、フットフラットからヒールライズに至る同実施例の靴を内側から見た概略側面図、図３８Ｄ、図３８Ｅおよび図３８Ｆは、それぞれ、分断部分の変形の様子を示す概略側面図である。
【図３９】図３９Ａおよび図３９Ｂは、それぞれ、分断部分とサイドパネルとの関係を模式的に示す内側面図および外側面図、図３９Ｃおよび図３９Ｄは内皮および外皮を構成する糸の変形の様子を概念的に示す側面図、図３９Ｅはサイドパネルの一例を示す斜視図である。
【図４０】図４０は、試験例２０の靴において、踵の上昇量Ｈとハトメ間の距離の変化量ΔＤとの関係を示すグラフである。
【図４１】図４１Ａおよび図４１Ｂは第６実施例にかかる第２ハトメの構造を示す概念的な正面図および平面図である。
【発明を実施するための形態】
【００３０】
本発明の第１の態様において、前記第２ハトメの前記斜め前後方向の前方には前記第１ハトメのうちの１つが隣接し、かつ、前記第２ハトメの前記斜め前後方向の後方には前記第１ハトメのうちの別の１つが隣接しているのが好ましい。
【００３１】
その理由は、可動する第２ハトメが斜め前後方向に隣接していると、それらの部位における足の支持が不安定になるかもしれないからである。
【００３２】
この場合において、前記複数の第１ハトメは前記斜め前後方向に互いに隣接する第１ハトメを包含し、前記斜め前後方向に互いに隣接する第１ハトメ間の第１距離よりも前記第２ハトメとその前方の第１ハトメまでの第２距離が大きく、かつ、前記第１距離よりも前記第２ハトメとその後方の第１ハトメまでの第３距離が大きいのが好ましい。
【００３３】
この場合、可動部に設けた第２ハトメが前後の第１ハトメから離れた位置に配置されており、Ｖ字状のシューレースが形成する角が比較的大きい。そのため、第２ハトメが前方および／または後方の第１ハトメに近づいた場合に、前記第２開口を隔てた向かい側のハトメまでの距離が大きく変動する。これにより、前記Ｖ字状のシューレースに作用する引張力が大きく変化する。
【００３４】
前記第１の態様において、前記主部の内部または外部の空間において前記足の内側面または外側面に沿って前記第２開口から斜め後方の下方に向って延び前記足の内側面または外側面を覆うサイドパネルを更に備え、前記サイドパネルが前記第２ハトメおよび前記可動部を包含し、前記第１ハトメが形成された前記第１側縁部が前記サイドパネルの前後で分断されて分断部分が前記主部に形成され、前記分断部分に前記サイドパネルが配置されているのが好ましい。
【００３５】
ハトメを形成する側縁部は剛性が大きいが、これが分断されていることで主部が屈曲し易くなり第２ハトメが前後に容易に変位する。
【００３６】
この場合において、前記分断部分の前縁と前記サイドパネルの前縁との間には、前記斜め後方の下方に向って延びる前記サイドパネルが前方に向って接近することを許容する前隙間が形成されており、これにより、前記サイドパネルに設けた第２ハトメが前記第１ハトメに対し前記斜め前後方向の前方および前記横方向に相対移動可能となっているのが好ましい。
【００３７】
前記前隙間が形成されていることにより、サイドパネルが分断部分の前縁に向って相対変位して接近することができる。
【００３８】
一方、前記分断部分の後縁と前記サイドパネルの後縁との間には、前記斜め後方の下方に向って延びる前記サイドパネルが後方に向って接近することを許容する後隙間が形成されており、これにより、前記サイドパネルに設けた第２ハトメが前記斜め前後方向の後方および前記横方向に可動可能となっているのが好ましい。
【００３９】
前記後隙間が形成されていることにより、サイドパネルが分断部分の後縁に向って変形しながら変位して接近することができる。
【００４０】
これらの場合において、前記隙間がソールの上面から第２開口に近づくに従い大きいのが更に好ましい。これらの場合、前記サイドパネル全体が前記前縁または後縁に接近し、第２ハトメの変位が大きくなり得る。
【００４１】
サイドパネルが可動部を構成する場合、前記分断部分は内皮と外皮とを有するポケット状に形成され、前記内皮と外皮とは、前記分断部分の前縁および後縁において互いに前記横方向に離間しているのが好ましい。
【００４２】
横方向に互いに離間した内皮と外皮とはサイドパネルを強く挟み付けることがないので、サイドパネルが前後に可動することを妨げにくい。
【００４３】
サイドパネルが可動部を構成する場合、前記分断部分を形成するシート状の部材の曲げ剛性が前記分断部分の前後の前記主部を形成する部材の曲げ剛性よりも小さいか又は縮み易いシート状の部材で形成され、前記分断部分のシート状の部材の曲げ剛性よりも前記サイドパネルを形成する部材の曲げ剛性が大きいのが好ましい。
【００４４】
第２の態様において後に詳述するように、曲げ剛性の小さい部材は皺が生じ易く、したがって、ＭＰ関節の背屈時に分断部分が変形したり縮むことで、アッパーが屈曲し易くなり、主部の内外側面が拡がるのを抑制できるだろう。
【００４５】
この場合において、前記分断部分の内皮を形成するシート状の部材は前記分断部分の前後の前記主部を形成する部材よりも薄いのが好ましい。
【００４６】
薄い内皮は変形し易く、かつ、変形した場合に厚くなりにくいだろう。
【００４７】
第１の態様においてサイドパネルを有する場合、足の内側の第１中足骨の骨頭から骨底の間の位置に１以上の前記第２ハトメが設けられており、かつ、足の内側において前記中足骨の骨底よりも後方の部位および前記中足骨の骨頭よりも前方の部位に前記第２ハトメが設けられていないのが好ましい。
【００４８】
中足骨の骨頭から骨底の間の位置はＭＰ関節の背屈時の縮みが大きい。したがって、この部位に第２ハトメが設けられていることは、靴と足のズレを減少させるだろう。
また、第２ハトメが中足骨の部位にのみ設けられており、他の部位に設けられていない。そのため、足を安定して支持するアッパーの機能が損なわれにくいだろう。
【００４９】
第１の態様においてサイドパネルを有する場合、前記分断部分は内皮と外皮とを有するポケット状に形成され、前記内皮は前記サイドパネルの内表面に接し、前記内皮の内表面は足の側面に接する前記主部の内表面よりも滑らかであるのが好ましい。
【００５０】
滑らかな内皮の内表面は足の側面との摩擦が小さく、容易に縮んだり変形したりする。そのため、アッパーが足の屈曲に従って容易に変形する。
【００５１】
前記第１の態様においてサイドパネルを有する場合、前記サイドパネルの外表面に接する前記内皮の外表面および前記外皮の内表面は前記主部の外表面よりも滑らかであるのが好ましい。
【００５２】
サイドパネルに接する内皮および外皮の面が滑らかであり、そのため、サイドパネルの自由な変形や相対変位が妨げられにくい。
【００５３】
前記第１の態様においてサイドパネルを有する場合、前記分断部分は前方に行くに従い上方に向かう斜め方向に沿って前記ソールの上面から前記第２開口まで延び、前記内皮および外皮は前記斜め方向に伸びることが可能な織物、編物またはメッシュ状のシート状物（シート状の部材）で形成されているのが好ましい。
ここで、メッシュ状のシート状物とは、メッシュ状に形成されていることにより前後および上下に伸びにくく、斜めに伸び易い多孔性のシートであればよく、たとえば、樹脂の成形品で多数の孔を有するものの他、樹脂のシートに多数の孔を形成したものや、織物に樹脂をコーティングした後、孔をあけたものなどを含む。
【００５４】
織物、編物、メッシュ状のシート状物は不織布に比べ滑らかな表面を得易い上、通気性も良い。また、これらのシート状物はシートの面に沿った面内において容易に剪断変形する。そのため、これらのシート状物からなる内皮や外皮は足の変形に追従し易いだろう。
【００５５】
前記第１の態様においてサイドパネルを有する場合、前記サイドパネルは前記ソールに固定された下端部と、前記第２側縁部を形成する先端部と、前記下端部と前記第２側縁部とを連ね前記可動部を構成する中間部とを包含し、前記中間部および第２側縁部が前記ソールに前記下端部を介してのみ連らなっているのが好ましい。
【００５６】
サイドパネルが下端部においてソールに固定されており、中間部においてアッパーに固定されていない。そのため、サイドパネルが中間部および先端部の長い領域にわたって自由に変形および変位することが可能である。したがって、先端部に形成した第２ハトメの斜め前後方向の変位が大きくなり得る。
【００５７】
前記第２の態様において、足の内側の第１中足骨の骨頭から骨底の間の位置に１以上の前記第２ハトメが設けられており、かつ、足の内側において前記中足骨の骨底よりも後方の部位および前記中足骨の骨頭よりも前方の部位に前記第２ハトメが設けられていないのが好ましい。
【００５８】
アッパーは中足骨の骨頭から骨底の間の部位においてＭＰ関節の背屈時の縮みが大きい。したがって、この部位に第２ハトメが設けられていることは、第２ハトメが足の動きに追従し、靴と足のズレを減少させるだろう。
また、第２ハトメが中足骨の部位にのみ設けられており、他の部位に設けられていない。そのため、足を安定して支持するアッパーの機能が損なわれにくいだろう。
【００５９】
前記第２の態様において、前記分断部分のシート状の部材は前記分断部分の前後の前記主部を形成する部材よりも薄いのが好ましい。
【００６０】
薄い内皮は変形し易く、かつ、変形した場合に厚くなりにくいだろう。
【００６１】
第２の態様において、前記分断部分は内皮と外皮とを有するポケット状に形成され、前記内皮は前記サイドパネルの内表面に接し、前記内皮の内表面は足の側面に接する前記主部の内表面よりも滑らかであるのが好ましい。
【００６２】
滑らかな内皮の内表面は足の側面との摩擦が小さく、容易に縮んだり変形したりする。そのため、アッパーが足の屈曲に従って容易に変形する。
【００６３】
第２の態様において、前記サイドパネルの表面に接する前記内皮の外表面および前記外皮の内表面は前記主部の外表面よりも滑らかであるのが好ましい。
【００６４】
サイドパネルに接する内皮および外皮の面が滑らかであり、そのため、サイドパネルの自由な変形が妨げられにくい。
【００６５】
第２の態様において、前記分断部分は前方に行くに従い上方に向かう斜め方向に沿って前記ソールの上面から前記第２開口まで延び、前記内皮および外皮は前記斜め方向に伸びることが可能な織物、編物またはメッシュ状のシート状物で形成されているのが好ましい。
【００６６】
織物、編物、メッシュ状のシート状物は不織布に比べ滑らかな表面を得易い上、通気性も良い。また、これらのシート状物はシートの面に沿った面内において容易に剪断変形する。そのため、これらのシート状物からなる内皮や外皮は足の変形に追従し易いだろう。
【００６７】
第２の態様において、前記サイドパネルの下端部は前記ソールに固定され、前記中間部および先端部が前記ソールに前記下端部を介してのみ連らなっているのが好ましい。
【００６８】
サイドパネルが下端部においてソールに固定されており、中間部においてアッパーに固定されていない。そのため、サイドパネルが中間部および先端部の長い領域にわたって自由に変形および変位することが可能である。したがって、先端部に形成した第２ハトメの斜め前後方向の変位が大きくなり得る。
【００６９】
この場合において、前記分断部分の前縁と前記サイドパネルの前縁との間には、前記ソールから前記第２開口に近づくに従い斜め前方に向って延びる前記サイドパネルが前記分断部分の前縁に向って接近することを許容する前隙間が形成されており、これにより、前記サイドパネルに設けた第２ハトメが第１ハトメに対し前記斜め前後方向の前方に相対移動可能となっているのが好ましい。
【００７０】
前記前隙間が形成されていることにより、サイドパネルが分断部分の前縁に向って相対的に変位して接近することができる。
【００７１】
一方、前記分断部分の後縁と前記サイドパネルの後縁との間には、前記ソールから前記第２開口に近づくに従い斜め前方に向って延びる前記サイドパネルが前記分断部分の後縁に向って接近することを許容する後隙間が形成されており、これにより、前記サイドパネルに設けた第２ハトメが前記斜め前後方向の後方に相対移動可能となっているのが好ましい
【００７２】
前記後隙間が形成されていることにより、サイドパネルが分断部分の後縁に向って変形しながら変位して接近することができる。
【００７３】
本発明の好ましい実施例においては、足の前後方向において前記第２ハトメが第１趾の中足趾節間関節（いわゆるＭＰ関節）から第４趾のリスフラン関節までの領域のみに配置されている。
【００７４】
この場合、前記領域はアッパーのフィット性能に大きな影響を与える。したがって、かかる領域に第２ハトメが配置された場合、前記アッパーのフィット性能が高まるだろう。
また、この場合、前記第１趾のＭＰ関節よりも前方や第４趾のリスフラン関節の後方に、前記第２ハトメが配置されていない。そのため、アッパーによる足の支持が不安定になるおそれがない。
【００７５】
更に好ましい実施例においては、前記足の内側の第２ハトメが第１趾の中足趾節間関節よりも後方で、かつ、前記第１趾の中足骨の骨底よりも前方の位置にのみ配置され、前記外側の第２ハトメが第４趾の中足趾節間関節よりも後方で、かつ、前記第４趾の中足骨の骨底よりも前方の位置にのみ配置されている。
【００７６】
本発明において、かかる位置に第２ハトメが配置された場合、一対の第２ハトメが斜め前後方向に移動する。
この移動は、第２ハトメに係合するシューレース手段の張力の変化が増大するのを抑制するだろう。それ故、アッパーのフィット性が高いだろう。
また、前記の位置以外に第２ハトメが配置されていない場合、足の支持が不安定になりにくい。
【００７７】
本発明の好ましい実施例において、足の内側において前記第２ハトメは１個もしくは２個設けられ、かつ、３個以上設けられておらず、足の外側において前記第２ハトメは１個もしくは２個設けられ、かつ、３個以上設けられていない。
【００７８】
第２ハトメが足の内側や外側に３個以上設けられると、分断部分の幅が大きくなって足の支持が不安定になったり、コストアップの原因となる。したがって、足の内外の一方につき、第２ハトメは２個以下が好ましい。
また、前記第２ハトメはシューレースによるアッパーの緊締を緩くする。したがって、前記第２ハトメの数は前記第１ハトメの数よりも少ないのが好ましいだろう。
更に、前記第２ハトメの数は、足の内側および外側において各々、１個のみであるのがより好ましいと推測される。
かかる観点から、第２開口の前後方向の前半部と後半部の各々において、前記第１ハトメが互いに対向するように配置されるのが好ましいだろう。
また、第１ハトメは足の保持を安定させる。したがって、前記第２ハトメが内側または外側に複数設けられ、前記内側または外側の複数の第２ハトメの間には前記第１ハトメが設けられていてもよい。
【００７９】
本態様において、サイドパネルは主部の内部または外部の空間に設けられる。
【００８０】
本発明において、主部の内部の空間とは、主部で定義される空間を意味し、主部の外装材よりも内の空間をいい、内装材が存在する場合には内装材と外装材との間の空間を含む。したがって、主部が外装材と内装材とを有する場合には、各パネルは内装材と外装材との間に配置されていてもよい。つまり、各パネルが内装材を介して足の側面や甲に接する場合も本発明に含まれる。
【００８１】
本発明において、主部の外部の空間にサイドパネルが設けられた場合、サイドパネルは主部を介して足の側面に巻き付く。
【００８２】
本態様において、足の前後方向において前記第２ハトメが第１趾のＭＰ関節から第４趾のリスフラン関節までの領域にのみ配置されているのが好ましい。
【実施例】
【００８３】
本発明は、添付の図面を参考にした以下の好適な実施例の説明からより明瞭に理解されるであろう。しかしながら、実施例および図面は単なる図示および説明のためのものであり、本発明の範囲は請求の範囲によって定まる。添付図面において、複数の図面における同一の部品番号は、同一または相当部分を示す。【００８４】
第１実施例：
以下、本発明の第１実施例が図１〜図９を参照して説明される。
以下の説明では、左足用の靴が例示される。また、以下の図において、矢印ＯＵＴは足の外側方向、矢印ＩＮは足の内側方向を示す。【００８５】
靴の全体構造：
図１に示す紐締めフィッティング構造を備えた靴は、ソール１、アッパー２およびシューレース３を備えている。
ソール１は着地の衝撃を吸収するものである。アッパー２は足の甲を包むもので、舌片４（主部の一部）を有している。シューレース３はアッパー２を足の甲にフィットさせるためのものである。
図１および図２において、前記シューレース３の両端部分は図示が省略されているが、アッパー２内に足を挿入した後に、前記端部同士は互いに固く結ばれる。シューレース３の端部同士が互いに結ばれることにより、アッパー２が足に対しタイトな状態でフィットすることができる。
なお、シューレース３の各端部はアッパー２に設けた固定具に固く止められてもよい。【００８６】
アッパー２は、第１開口Ｐ１と第２開口Ｐ２とを備えている。第１開口Ｐ１は着用時に脚Ｌｅが上方Ｚ１に出る開口である。
図３および図４に示すように、第２開口Ｐ２は第１開口Ｐ１の前方Ｙ１、すなわち、足の爪先Ｔに向って設けられた開口である。第２開口Ｐ２はアッパー２の上部において、斜め前後方向Ｙに長く形成されている。前記２つの開口Ｐ１，Ｐ２は互いに連なっている。前記舌片４は前記第２開口Ｐ２を下方Ｚ２から閉じ、足の甲Ｉｓを上方から覆う。【００８７】
アッパー２：
図５および図６において、前記アッパー２は、メインアッパー（主部）２Ｍ、第１側縁部２０、第１および第２サイドパネル５１，５２（可動部の一例）を備えている。【００８８】
メインアッパー２Ｍ；
前記メインアッパー２Ｍは、図３の足の内側面Ｓ１、図４の外側面Ｓ２、爪先Ｔ、甲Ｉｓおよび背面Ｂを覆う。メインアッパー２Ｍには、前記第１開口Ｐ１および第２開口Ｐ２が形成されており、前記第２開口Ｐ２の前端において爪先部分に連なる前記舌片４が含まれる。【００８９】
前記側縁部２０は前記第２開口Ｐ２の側縁に沿って前記第２開口Ｐ２を囲うように設けられている。前記側縁部２０は前記シューレース３が通過すると共に係合する複数の第１ハトメＨ１を有する。前記側縁部２０は、たとえば人工皮革やテープ材のような本質的に伸びない素材で形成されている。前記第１ハトメＨ１は前記側縁部２０に形成された小孔からなる。【００９０】
前記メインアッパー２Ｍの内外の側面２１，２２には、たとえば、図７および図８の内側面図において明示するように、メインアッパー２Ｍの一部を構成するメッシュ部材の表面に多数本のテープ材２ｔが縫着されている。これらのテープ材２ｔは本質的に伸びない素材で形成されており、これにより、メインアッパー２Ｍの内側面２１および図１の外側面２２が前記斜め前後方向Ｙの前方Ｙ１および後方Ｙ２や周方向Ｒに本質的に伸びない。
なお、前記テープ材２ｔは周知の構造であり、図１〜図６において図示が省略ないし簡略化されている。【００９１】
図９において、前記各サイドパネル５１，５２は第２ハトメＨ２を有する。前記各サイドパネル５１，５２は先端部（第２側縁部）５３と、ソール１およびメインアッパー２Ｍに固着された下端部５４と、前記先端部５３と下端部５４との中間部５５（可動部の一例）とが一体に連なってなる。
前記先端部５３は前記中間部５５および下端部５４を介してのみ前記メインアッパー２Ｍおよびソール１に繋がっている。なお、下端部５４はソール１に固着されずにメインアッパー２Ｍに縫着されていてもよい。【００９２】
前記先端部５３において、サイドパネル５１，５２の一部を構成するテープ材にはハトメ部材５３ａが縫着されている。図１〜図８において、前記サイドパネル５１，５２のハトメ部材５３ａが設けられていない部位については網点が施されている。【００９３】
前記第２ハトメＨ２は前記先端部５３およびハトメ部材５３ａに形成された小孔からなり、図１の前記シューレース３が通過すると共に係合する。
なお、図１においては第１ハトメＨ１および第２ハトメＨ２には、ハトメの斜め前後方向Ｙの位置を区別するために、前から後に向って順に下付数字が付されているが、各実施例の説明や図２以後においては下付数字が省略されている場合がある。
本明細書において、斜め前後方向Ｙとは第２開口Ｐ２を横断する横方向Ｘに直交し、かつ、ハトメＨ１，Ｈ２が並ぶ方向に概ね平行な方向をいい、一般に、ソール１の底面に対し斜め前方および斜め後方となる。【００９４】
図３の第１サイドパネル５１は帯状に形成されており、前記メインアッパー２Ｍの内部の空間において前記内側面Ｓ１に沿って上方ないし斜め上方（前方に行くに従い斜め上方）に向って前記足の内側面Ｓ１に巻き付き、内側面Ｓ１の一部を覆う。
図４の第２サイドパネル５２は帯状に形成されており、前記メインアッパー２Ｍの内部の空間において前記外側面Ｓ２に沿って上方ないし斜め上方に向って前記足の外側面Ｓ２に巻き付き、外側面Ｓ２の一部を覆う。【００９５】
前記中間部５５は前記先端部５３と前記下端部５４との間に配置され、図５および図６に明示するように、メインアッパー２Ｍに付着されていない。したがって、中間部５５は前記先端部５３が前記下端部５４に対して斜め前後方向Ｙに移動するのを許容する。一方、各サイドパネル５１，５２の中間部５５は伸縮部（可動部）を構成しており、以下に説明するように、前記先端部５３から前記下端部５４までの長さが大きくなるように伸縮する。
本実施例の場合、中間部５５が伸びることにより、第２ハトメＨ２３が図１の横方向Ｘおよび図７の斜め前後方向Ｙの後方Ｙ２の双方について、メインアッパー２Ｍの第１ハトメＨ１に対し相対的に変位する。【００９６】
ここで、前記各サイドパネル５１，５２のテープ材およびハトメ部材５３ａは、本質的に伸びない素材で形成されている。
しかし、図５の前記各サイドパネル５１，５２の中間部５５には、図３および図４に明示するように、千鳥状に複数の円形の貫通孔５５ｈが形成されている。前記サイドパネル５１，５２の延びる方向に大きな引張力が負荷されると、前記貫通孔５５ｈの形状が楕円形に変化すると共に、中間部５５が足の周方向Ｒ（図１、図２）に伸びる。本実施例の場合、中間部５５が足の周方向Ｒに伸びることによっても第２ハトメＨ２３はメインアッパー２Ｍに対して横方向Ｘ（図１、図２）に変位する。【００９７】
図３の前記内側の第２ハトメＨ２は第１趾ｆ１のＭＰ関節ＭＰ1から第１趾ｆ１のリスフラン関節ＬＪまでの領域に配置されている。好ましくは、図３の前記足の内側の第２ハトメＨ２は第１趾ｆ１の中足骨Ｂ４1の骨頭Ｂ４1ｈよりも後方Ｙ２で、かつ、前記第１趾ｆ１の中足骨Ｂ４1の骨底Ｂ４1ｂよりも前方Ｙ１の位置に配置される。
一方、図４の前記外側の第２ハトメＨ２は第４趾ｆ４の中足骨Ｂ４4の骨頭Ｂ４4ｈよりも後方Ｙ２で、かつ、前記第４趾ｆ４の中足骨Ｂ４4の骨底Ｂ４4ｂよりも前方Ｙ１の位置に配置されるのが好ましい。
図３および図４に示すように、第２ハトメＨ２の前方Ｙ１には少なくとも内外一対の第１ハトメＨ１を設けるのが好ましく、複数対の第１ハトメＨ１を設けるのが更に好ましい。
また、第２ハトメＨ２の後方Ｙ２には少なくとも内外一対の第１ハトメＨ１を設けるのが好ましく、複数対の第１ハトメＨ１を設けるのが更に好ましい。
第１ハトメＨ１に挿通されたシューレースによりアッパーが緊締され、これにより支持が安定する。【００９８】
図３の前記第１サイドパネル５１は下端部５４から先端部５３に行くに従い斜め前方の上方に向って細くなり延びている。前記第１サイドパネル５１の中間部５５は第１趾ｆ１の中足骨Ｂ４1の骨頭Ｂ４1ｈよりも後方Ｙ２で、かつ、前記第１趾ｆ１の中足骨Ｂ４1の骨底Ｂ４1ｂよりも前方Ｙ１の部位（第１趾ｆ１の中足骨Ｂ４1の骨体）に沿って配置されている。【００９９】
一方、図４の前記第２サイドパネル５２は下端部５４から先端部５３に行くに従い斜め前方の上方に向って細くなり延びている。前記第２サイドパネル５２の中間部５５は第４趾ｆ４の中足骨Ｂ４4の骨頭Ｂ４4ｈよりも後方Ｙ２で、かつ、前記第４趾ｆ４の中足骨Ｂ４4の骨底Ｂ４4ｂよりも前方Ｙ１の部位（第４趾ｆ４の中足骨Ｂ４4の骨体）に沿って配置されている。【０１００】
第２実施例：図１０および図１１は第２実施例を示す。【０１０１】
本第２実施例において、メインアッパー２Ｍはサイドパネル５１，５２の中間部５５（可動部）を収容する袋状の収容部２９を有する。前記サイドパネル５１，５２の先端部５３は、前記収容部２９から突出している。【０１０２】
図１１の前記メインアッパー２Ｍの内外の側面２１，２２は、それぞれ、表面材２３と裏面材２４とが、図１０に示すように、互いに縫合されて形成されている。前記互いに縫合された２つの部材２３，２４の間に前記収容部２９が形成されている。【０１０３】
前記各サイドパネル５１，５２は前記収容部２９の形状に沿った帯状に形成されている。【０１０４】
前記サイドパネル５１，５２としては、前記第１実施例と同様に中間部５５に貫通孔５５ｈが形成された伸縮部を有していてもよいし、あるいは、前記貫通孔５５ｈを形成する代わりにゴム弾性を持つ樹脂テープで形成されてもよい。
なお、「ゴム弾性」とは、加硫ゴムのように、大きな塑性変形を生じることなく繰り返し伸び縮み（弾性変形）可能な性質を意味する。【０１０５】
本第２実施例のその他の構成は、前記第１実施例と同様であり、同一部分もしくは相当部分に同一符号を付して、その説明を省略する。【０１０６】
第３実施例：
つぎに、第３実施例が図１２〜図１５Ｂを参照して説明される。【０１０７】
本第３実施例において、第１ハトメＨ１はメインアッパー２Ｍの第１側縁部２０Ａに設けられ、一方、第２ハトメＨ２はメインアッパー２Ｍに連なる第２側縁部２０Ｂに設けられている。前記第２側縁部２０Ｂの一部を形成するハトメ部材５３ｂは伸縮部５（可動部の一例）で囲われている。【０１０８】
図１２〜図１４において、前記伸縮部５の部位には網点が施されている。前記内外の一対の伸縮部５，５は第２開口Ｐ２を間にして互いに対向している。【０１０９】
本質的に伸縮しない前記メインアッパー２Ｍには切欠き２５が形成されており、当該切欠き２５の部位に前記伸縮部５が設けられている。図１５Ａに示す前記ハトメ部材５３ｂは、前記伸縮部５を構成する部材５７、５８の上に縫着されており、前記第２側縁部２０Ｂは前記部材５７，５８およびハトメ部材５３ｂが重ね合わされた部位からなり、前記伸縮部５を介してのみメインアッパー２Ｍに連なっている。【０１１０】
つまり、図１２の前記伸縮部５は第２側縁部２０Ｂの周囲を囲っており、前記伸縮部５を海、メインアッパー２Ｍを陸とすると、第２側縁部２０Ｂは陸であるメインアッパー２Ｍに対し島のように配置されている。すなわち、前記伸縮部５を介してのみ前記第２側縁部２０Ｂがメインアッパー２Ｍに繋がっている。【０１１１】
前記伸縮部５よりも伸縮し難い前記メインアッパー２Ｍは、図１４の足の外側において第５趾ｆ５のリスフラン関節ＬＪおよび中足骨骨底Ｂ４5ｂを覆い、図１３の前記メインアッパー２Ｍは足の内側において第１趾ｆ１の中足骨の骨底Ｂ４1ｂおよび骨頭Ｂ４1ｈを覆っている。【０１１２】
図１３および図１４に明示するように、本実施例では、前記伸縮部５はソール１まで延びておらず、前記伸縮部５の下方において前記メインアッパー２Ｍは斜め前後方向Ｙに連なっている。したがって、前記伸縮部５の伸縮し易い部材であっても、また、２つの伸縮部５，５が互いに対向する位置に配置されていても足の支持が安定する。【０１１３】
なお、メインアッパー２Ｍは足の内側において第１趾の中足骨の骨底Ｂ４1ｂまたは骨頭Ｂ４1ｈの一方のみを伸縮しない部材で覆い、他方を伸縮性のある部材で覆っていてもよい。【０１１４】
図１５Ａに示すように、たとえば、前記伸縮部５は伸縮可能なメッシュ状の生地５８とゴム弾性を持つ樹脂シート５７とが伸縮しないテープ材２ｔにおいて縫合されていてもよい。【０１１５】
図１４の前記伸縮部５は、前記第２側縁部２０Ｂの前後において伸縮部５を補強する第１部５０と該第１部５０以外の伸縮部５からなる第２部５９とを備える。前記第１部５０は伸縮部５の側縁に沿って湾曲しており、切り欠かれたように窪んでいる。前記第１部５０は図１５Ｂに示すように前記樹脂シート５７の上に補強材５０ａが接着および縫着されてなる。前記湾曲した第１部５０の補強材５０ａは前記第２部５９よりも伸びにくい素材で形成されているが、斜め前後方向Ｙに直線状に伸びたり、曲率が大きくなって縮むことが可能であり、第１部５０の一部を構成している。そのため、湾曲した前記第１部５０により、前記第２側縁部２０Ｂが斜め前後方向Ｙに移動するのを抑制して、第２ハトメＨ２が小さな力で斜め前後方向Ｙに移動することが許容される。したがって、第２ハトメＨ２は斜め前後方向Ｙ、周方向Ｒへの移動が許容される。
前記第２部５９は前記斜め前後方向Ｙおよび周方向Ｒの双方に伸縮可能である。【０１１６】
図１２において、足の屈曲時に前記第２側縁部２０Ｂが前記メインアッパー２Ｍに対して足の周方向Ｒ（図示せず）、斜め前後方向Ｙの前方Ｙ１および後方Ｙ２に移動できるように、前記伸縮部５の第１部５０および第２部５９は前記両側縁部２０Ａ，２０Ｂおよびメインアッパー２Ｍよりも伸縮し易く、かつ、前記足の屈曲時に前記第２側縁部２０Ｂの周方向の近傍、つまり、前記第２部５９が前記足の周方向Ｒおよび斜め前後方向Ｙに伸縮可能で、かつ、前記第２側縁部２０Ｂの前方Ｙ１および後方Ｙ２において前記第１部５０が斜め前後方向Ｙに伸縮可能な状態で配置されている。
なお、第１部５０を形成する補強材５０ａを設ける必要はない。【０１１７】
本第３実施例のその他の構成は前記第１実施例と同様であり、同一部分もしくは相当部分に同一符号を付して、その説明を省略する。【０１１８】
第４実施例：
つぎに、第４実施例が図１６〜図２０を参照して説明される。【０１１９】
本第４実施例において、第１ハトメＨ１はメインアッパー２Ｍの第１側縁部２０Ａに設けられ、一方、第２ハトメＨ２は内外側の伸縮部５Ａ，５Ｂのうちの外側の伸縮部５Ｂ（可動部の一例）に設けられている。
なお、伸縮部５Ａ，５Ｂの部位には網点が施されている。【０１２０】
図１８の足の内側において、前記伸縮部５Ａを除くメインアッパー２Ｍは、つまり、伸縮部５Ａ，５Ｂよりも伸び難いメインアッパー２Ｍは第１趾ｆ１の中足骨の骨底Ｂ４1ｂおよび骨頭Ｂ４1ｈを覆っている。一方、前記メインアッパー２Ｍは、図１９の足の外側において、第５趾ｆ５のリスフラン関節ＬＪおよび中足骨骨底Ｂ４5ｂを覆っている。【０１２１】
図１６に示すように、前記伸縮部５Ａと伸縮部５Ｂとは、第２開口Ｐ２を隔てて互いに斜向いの位置に配置されている。図１７および図１８の前記各伸縮部５Ａ，５Ｂは、アッパー２の内外の側面を横断している。【０１２２】
図１８および図１９に示すように、伸縮部５Ａ，５Ｂの上端には、第１部５０が設けられている。前記伸縮部５Ｂの第１部５０は、湾曲した形状で構成されているため、斜め前後方向Ｙに直線状に伸びたり、曲率が大きくなって縮むことが可能であり、前記第２側縁部２０Ｂが斜め前後方向Ｙに移動するのを許容し、かつ、第２側縁部２０Ｂが周方向Ｒ（図示せず）に移動するのを妨げにくい。
これにより、第２ハトメＨ２は斜め前後方向Ｙよりも周方向Ｒ（横方向Ｘ）に移動し易い。【０１２３】
本第４実施例のその他の構成は、前記第１実施例と同様であり、同一部分もしくは相当部分に同一符号を付して、その説明を省略する。【０１２４】
つぎに、本発明の効果を明瞭にするために試験例および比較例について行った試験結果を示す。
まず、以下に示す試験例１〜４および比較例の靴を用意した。【０１２５】
試験例１：図１〜図９に示した実施例１の靴を作成し、この靴を試験例１とした。【０１２６】
試験例２：図１０および図１１に示した実施例２の靴を作成し、この靴を試験例２とした。この試験例２ではサイドパネルに比較的低剛性の素材を採用した。【０１２７】
試験例３：図１０および図１１に示した実施例２の靴を作成し、この靴を試験例３とした。この試験例３ではサイドパネルに比較的高剛性で、かつ、ゴム弾性を有する素材を採用し、更に、サイドパネルに貫通孔を千鳥状に形成した。【０１２８】
試験例４：図１６〜図２０に示した実施例４の靴を作成し、この靴を試験例４とした。【０１２９】
比較例：図１２〜図１５に示した実施例３において、伸縮部に相当する部位の伸縮材の裏面に本質的に伸びない織布を裏打ちし、これを比較例とした。なお、この比較例では伸縮部に相当する部位は実質的に伸びない。【０１３０】
前記各試験例および比較例の靴のハトメの近傍にマーカーを貼付し、各靴を図７のように足に装着し、以下に示すＤ1〜Ｄ6の距離を測定した。
Ｄ1は内外の第１ハトメＨ１1の近傍に貼付したマーカー間の距離である。
Ｄ2は内外の第１ハトメＨ１2の近傍に貼付したマーカー間の距離である。
Ｄ3は内外の第２ハトメＨ２3の近傍に貼付したマーカー間の距離である。
Ｄ4は内外の第１ハトメＨ１4の近傍に貼付したマーカー間の距離である。
Ｄ5は内外の第１ハトメＨ１5の近傍に貼付したマーカー間の距離である。
Ｄ6は内外の第１ハトメＨ１6の近傍に貼付したマーカー間の距離である。【０１３１】
ついで、図７の状態から図８のようにＭＰ関節を背屈させて踵を上昇させながら前記マーカー間の距離を測定器で測定し、前記踵が２０ｍｍ上昇する度の前記マーカー間の距離Ｄi を求めた。この測定を各試験例および比較例について行った。【０１３２】
前記各サンプルについて、Ｄ1〜Ｄ6の変化量ΔＤ1〜ΔＤ6を算出し、その結果を各サンプルごとに図２１Ａ〜図２１Ｃ、図２２Ａおよび図２２Ｂに示す。
この結果について、以下に考察が説明される。【０１３３】
図２２Ｂの比較例において、第２ハトメＨ２3間の距離の変化量ΔＤ3は２％を超えているのに対し、図２１Ａ〜図２１Ｃおよび図２２Ａの各試験例においてはΔＤ3が±０．５％程度以下になった。
これは、図８の踵を上昇させた時の足囲の変化に応じて、伸縮部が伸縮したためであると考えられる。【０１３４】
また、比較例の各変化量ΔＤ1〜ΔＤ6の総量ΣΔＤ（変化量ΔＤｉの絶対値の総和）は試験例のそれΣΔＤに比べ大きい。これは、足の踵を持ち上げた際に、距離Ｄ3〜Ｄ6に相当する部位に存在する長母趾伸筋腱や内側、中間、外側の楔状骨及び舟状骨が足の甲から前方に向って迫り出し、前記Ｄ3〜Ｄ6の距離が伸び、一方、前記Ｄ3〜Ｄ6の距離の伸びによりＭＰ関節近傍の前記Ｄ2の距離が縮むためであると考察される。【０１３５】
一方、比較例において、各変化量ΔＤ1〜ΔＤ6のうち、踵が８０ｍｍ〜１００ｍｍ上昇した時点での変化量は距離Ｄ3が最も大きいことが分かる。また、前記第２ハトメＨ２3の前方のハトメ間距離Ｄ1，Ｄ2はマイナス側に変位する傾向があるのに対し、前記第２ハトメＨ２3の後方のハトメ間距離Ｄ4〜Ｄ6はプラス側に変位する傾向が強い。したがって、第２ハトメＨ２は、図１の前記第２ハトメＨ２3の部位、つまり第１〜第５中足骨の骨体の部位に設けられるのが最も好ましいであろうと推測される。【０１３６】
一対のサイドパネルに伸縮部を有する図２１Ａ〜図２１Ｃの試験例１〜３の前記変化量の総量ΣΔＤは、メインアッパーに伸縮部を有する図２２Ａの試験例４のそれΣΔＤよりも小さいことが分かる。特に、この現象は踵の上昇量Ｈが２０ｍｍ〜８０ｍｍの間において顕著であることが分かる。
その理由について考察する。【０１３７】
図７の状態から図８のように踵が上昇すると、足の甲に舌片４の中央部分が押され、図１の第２ハトメＨ２3 間および上方の第１ハトメＨ１5間などが拡がろうとする。この際、サイドパネル５１（５２）の中間部５５が足の周方向に沿って伸びるだけでなく、サイドパネル５１の先端部５３は斜め前後方向Ｙにも移動する。たとえば、図７の第２ハトメＨ２と隣の第１ハトメＨ１との距離Ｄｙ１，Ｄｙ２は、図７と図８の比較から分かるように、それぞれ、屈曲前後において変化している。すなわち、屈曲後にＤｙ２は短くなり、一方、Ｄｙ１は長くなっている。【０１３８】
このように、サイドパネルの先端部５３が斜め前後方向Ｙに移動することにより、図１の第２ハトメＨ２からその隣の第１ハトメＨ１2、第１ハトメＨ１4までの距離が変化する。この斜め前後方向Ｙの距離の変化により、第１ハトメＨ１i間の距離Ｄiの変化も小さくなるものと推測される。【０１３９】
また、試験例１、２もしくは３において変化量の各総量ΣΔＤが試験例４の変化量の総量ΣΔＤに比べ小さい別の理由は、試験例１〜３において第２ハトメが２箇所設けられているのに対し、試験例４において第２ハトメが１箇所であるためであると推測される。【０１４０】
サイドパネルが足の内外側面に接するように設けられた試験例１の変化量の総量ΣΔＤは、サイドパネルがアッパーの袋内に設けられた試験例２，３の変化量の総量ΣΔＤよりも小さい。その理由は試験例１のサイドパネルの方が試験例２の袋内のサイドパネルに比べ前後に動き易い上、足の形状の変化に応じてサイドパネルが直ちに変形し得るからであると推測される。【０１４１】
つぎに、第２ハトメの好ましい数および位置について行った試験を示す。
まず、図２６Ａおよび図２６Ｂに示すアスレチックシューズを用い、シューレースのみを代えて以下に示す試験例１１〜１７を用意した。図２６Ａの靴において、ハトメＨ３１、Ｈ３２の位置は図３の靴の第１ハトメＨ１１、Ｈ１２の位置に相当し、図２６ＡのハトメＨ３５、Ｈ３６の位置は図３の第１ハトメＨ１４、Ｈ１５の位置に相当する。また、図３の第２ハトメＨ２３の位相は図２６ＡのハトメＨ３３、Ｈ３４の間の位置に相当する。なお、前記試験に合わせ、ハトメの使用数を６つとした。【０１４２】
図２３Ａ〜図２３Ｇは前記試験例１１〜１７に用いたシューレースを示す概念的な平面図である。これらの平面図において、ハトメＨ３１〜Ｈ３６は全て第１ハトメであり、各ハトメＨ３１〜Ｈ３６間を通常の非伸縮シューレース３１または伸縮性のあるゴム紐様の伸縮シューレース３２を用いて締め付けた。図において、太線は通常の非伸縮シューレース３１を示しており、細い線はゴム紐様の伸縮シューレース３２を示す。【０１４３】
たとえば、試験例１１においては第１ハトメＨ３３−Ｈ３３の間のみを伸縮シューレース３２で締め付け、第１ハトメＨ３１−Ｈ３２の間を非伸縮シューレースで締め付け、第１ハトメＨ３４−Ｈ３６の間を別の非伸縮シューレースで締め付けた。なお、伸縮シューレース３２の伸びは約１５％程度以下に設定した。【０１４４】
伸縮シューレース３２は第１ハトメ間が拡がるのを許容し、したがって、伸縮シューレース３２で連結された第１ハトメの部位は第２ハトメが設けられた場合に近似した挙動を呈すると推測される。かかる推測に基づいて、以下に説明するテストを行った。【０１４５】
試験例１１〜１７の靴を被験者４名が着用し、足の踵を上げた際に、足が靴によって安定して保持されているか否かについて官能テストを行った。
本官能テストの結果は、周知の一対比較（ＡＨＰ）法によって各試験例１１〜１６について評価数値を算出した。この算出結果を図２４の棒グラフに示す。【０１４６】
図２４のグラフから分るように、伸縮シューレース３２をハトメＨ３３および／またはＨ３４にのみ設けた試験例１１，１２および１４は大きい評価数値を示しており、足を安定して保持できることが分る。前記伸縮シューレース３２はハトメ３３およびハトメ３４の双方に設けた場合に比べ、ハトメ３３、３４の一方に設けると、評価数値が高い。したがって、第２ハトメＨ２は片側２個よりも１個の方が足を安定して支持できるだろう。
一方、伸縮シューレース３２をハトメＨ３５に設けた試験例１３，１５および１６は小さい数値を示しており、足を安定して保持できないことが分る。
特に、伸縮シューレース３２を３つのハトメＨ３３−Ｈ３５にわたって設けた場合には、足の保持が不安定になることが分る。【０１４７】
つぎに、各試験例１１，１２，１７，１６の靴のハトメの近傍にマーカーを貼付し、各靴を足に装着し、前述の試験例１〜４と同様に前記距離Ｄ１〜Ｄ６を測定した。その結果を図２５Ａ〜図２５Ｄに示す。
この結果について以下に考察が説明される。【０１４８】
図２５Ａ〜図２５Ｄのグラフから分るように、伸縮シューレース３２をハトメＨ３３またはＨ３４に設けた試験例１１，１２は、伸縮シューレース３２をハトメＨ３５に設けた試験例１７，１６に比べ、ハトメ間距離Ｄ４〜Ｄ６の変化が小さい。
特に、ハトメＨ３３間のみを伸縮シューレース３２で締結した試験例１１は各ハトメ間距離Ｄ１〜Ｄ６の変化が小さい。【０１４９】
ここで、各試験例１１〜１７として用いた図２６Ａおよび図２６Ｂに示すアッパー２の各ハトメＨ３１〜Ｈ３６の足の骨格に対する位置を見ると、ハトメＨ３３，Ｈ３４は前記足の内側において第１趾の中足趾節間関節ＭＰ１よりも後方Ｙ２で、かつ、前記第１趾の中足骨の骨底Ｂ４１Ｂよりも前方Ｙ１の位置に配置され、一方、前記外側において第４趾の中足趾節間関節ＭＰ４よりも後方Ｙ２で、かつ、前記第４趾の中足骨の骨底Ｂ４４ｂよりも前方Ｙ１の位置に配置されている。【０１５０】
したがって、これらの領域にのみ第２ハトメＨ２を設けた場合に足の安定した保持と、足囲の変化に応じたフィット性能が最も高くなるものと推測される。【０１５１】
一方、図２３Ｆのように、３つのハトメＨ３３〜Ｈ３５を伸縮シューレース３２で連結した試験例１６の場合には、図２４および図２５Ｄから分るとおり、ハトメ間距離Ｄ４〜Ｄ６が著しく大きく拡がりすぎて、足を安定して保持することができないことがわかる。したがって、前記特許文献６（Nakano）においてサイドパネルをゴムまたは伸縮布で形成した場合には、足を安定して保持する機能が著しく低下するおそれがあると推測される。【０１５２】
つぎに、図２７〜図３９を参照して第５実施例が説明される。
この実施例においては可動部であるサイドパネル５１，５２が伸縮部を有していなくてもよい。以下、第５実施例の説明に先立って、第２ハトメＨ２がサイドパネル５１，５２を介してメインアッパー（主部）２Ｍに対して横方向Ｘおよび斜め前後方向Ｙに変位することによる利点について述べる。【０１５３】
図２７において、今、前方の第１ハトメＨ１２と後方の第１ハトメＨ１４との間に第２ハトメＨ２３が配置されているアッパー２について検討する。
実線で示すシューレース３によりアッパーが締め付けられている状態において、フットフラットからヒールライズに至る間に、前記第２ハトメＨ２３に係合する前記シューレース３のＶ字状の部位３３，３４により前記第２側縁部２０Ｂに働く第１引張力ＦＷ１および第２引張力ＦＷ２の合力ＦＷの方向が変化するのに伴い、前記第２ハトメＨ２３が前記可動部（サイドパネル）５１，５２を介して主部２Ｍに対し前記斜め前後方向Ｙ１，Ｙ２に変位する。これにより、合力ＦＷの方向が横方向Ｘに一致ないし近づき、第２ハトメＨ２３が最も無理のない位置に変位する。なお、この際、第２ハトメＨ２３が斜め前後方向Ｙに変位するのに伴い、前記第１引張力ＦＷ１が若干増大し、一方、前記第２引張力ＦＷ２が若干減少するなど、両引張力ＦＷ１，ＦＷ２は変化するだろう。【０１５４】
一方、第２ハトメＨ２３が横方向Ｘに変位することで、斜向いのハトメ間距離が変動する。したがって、第２ハトメＨ２３は横方向Ｘに変位することで、前記斜向いのハトメ間距離の変動によるシューレース３の張力の変化を小さくすることができる。【０１５５】
本第５実施例では図２８〜図３９のサイドパネル５１，５２が伸縮しなくても、前記サイドパネル５１，５２に設けた第２ハトメＨ２３が横方向Ｘおよび斜め前後方向Ｙに可動する構造について説明される。
なお、本第５実施例において前記第１実施例と同一または相当部分には同一符号を付して、その詳しい説明を省略する。【０１５６】
本実施例の場合、図２８の前記第１ハトメＨ１が形成された前記第１側縁部２０Ａが前記サイドパネル５１，５２の前後で分断されて、分断部分７が前記メインアッパー２Ｍに形成され、前記分断部分７に前記サイドパネル５１，５２が配置されている。前記分断部分７は、それぞれ、メインアッパー２Ｍの内側面２１および外側面２２（図２９）を完全に横断している。【０１５７】
なお、図３３〜図３６に示すように、前記第１側縁部２０Ａはいわゆるハトメ飾りが基布に縫着されてなる。【０１５８】
前記各サイドパネル５１，５２の幅Ｗ５（図３０）は、上方に向うに従い小さくなっており、前記分断部分７の幅Ｗ７よりも小さい。すなわち、前記分断部分７の前縁７３または後縁７４（図３９Ａ）と前記サイドパネル５１，５２の前縁５０３または後縁５０４（図３９Ａ）との間には、前記斜め後方の下方に向って延びる前記サイドパネル５１，５２が前記分断部分７の前縁７３または後縁７４に向って相対的に接近することを許容する前隙間ΔＳ１または後隙間ΔＳ２が形成されており、これにより、前記サイドパネル５１，５２に設けた第２ハトメＨ２３が斜め前後方向Ｙの前方Ｙ１、後方Ｙ２および前記横方向Ｘに可動可能となっている。【０１５９】
図３９Ａおよび図３９Ｂに明示するように、前記前隙間ΔＳ１後隙間ΔＳ２はソール１の上面から第２開口Ｐ２に近づくに従い大きく、したがって、各サイドパネル５１，５２の中間部５５が前方Ｙ１および後方Ｙ２に前記メインアッパー２Ｍに対し相対的に動くことができる。【０１６０】
本実施例の場合、図３２に示すように、前記分断部分７は内皮７１および外皮７２で構成されている。
図３０〜図３６から分るように、前記分断部分７の内皮７１および外皮７２およびサイドパネル５１，５２は、それぞれ、メインアッパー２Ｍの内側面２１および外側面２２を周方向Ｒ（図３７Ａ）に横断している。なお、前記内皮７１および外皮７２は分断部分７の前縁７３および後縁７４の近傍においてメインアッパー２Ｍに縫着されている。【０１６１】
前記サイドパネル５１，５２の本質的に伸びない中間部５５およびループ状の第２ハトメＨ２３が形成された第２側縁部２０Ｂ（先端部５３）は、下端部５４を介してのみソール１に接合されている。
このようなサイドパネル５１，５２は下端部５４を中心に前後に回転することが可能であり、したがって、第２ハトメＨ２３の変位が大きくなり得る。【０１６２】
前記内皮７１および外皮７２の幅はソール１から上方に向うに従い小さくなっている。一方、前記メインアッパー２Ｍの分断部分７は第２開口２Ｐに臨む上端部において、上方に行くに従い斜め前後方向Ｙに拡がっている。これにより、サイドパネル５１，５２の先端部５３の中間部５５に対する前後の変位が大きくなり得る。【０１６３】
図３７Ｂに明示するように、前記分断部分７は内皮７１と外皮７２とでポケット状に形成されている。前記内皮７１と外皮７２とは、前記分断部分７の前縁７３および後縁７４において互いに前記横方向Ｘに離間している。これにより、サイドパネル５１，５２が前縁７３および後縁７４までスムースに変位することが可能となる。【０１６４】
図３７Ａの前記内皮７１は前記サイドパネル５１，５２の内表面５０１に接し、前記内皮７１の内表面７１１は足の側面に接する図３２のメインアッパー２Ｍの内表面２０１よりも滑らかである。【０１６５】
図３７Ａの前記サイドパネル５１，５２の内表面５０１に接する前記内皮７１の外表面７１２および前記サイドパネル５１，５２の外表面５０２に接する前記外皮７２の内表面７２１は図３２のメインアッパー２Ｍの外表面２０２よりも滑らかである。【０１６６】
ここで、「滑らか」であるとは、内皮７１の内表面７１１および外皮７２の内表面７２１の凹凸の度合いが対比する表面の凹凸に比べ小さいことを意味し、この場合、一般にサイドパネル５１，５２やソックスとの摩擦係数が小さい【０１６７】
かかる滑らかな面を形成する素材としては、レーヨンなどの化学繊維からなる糸の織物や編物のシート状の部材が採用される。
本実施例の場合、たとえば、図３２の内皮７１は織物が２重に重なって形成され、一方、外皮７２は織物の外表面に図３３のテープ材（軟質樹脂）７５が縫着されてなる。なお、図３２、図３３および図３５において、織物で形成された内皮７１および外皮７２にはメッシュ等の模様が付されている。【０１６８】
前記分断部分７を形成する内皮７１および外皮７２は、それぞれ、前記分断部分７の前後のメインアッパー２Ｍを形成する部材よりも薄く、かつ、小さな曲げ剛性を有する。
また、サイドパネル５１，５２を形成する部材の曲げ剛性は分断部分７の内皮７１および外皮７２の曲げ剛性よりも大きい。前記サイドパネル５１，５２としては、たとえば、図３７Ｂおよび図３９Ｅのように、合成皮革を２重に貼り合わせて形成してもよく、この場合、２重の合成皮革の一方にのみ貫通孔５５ｈを形成することにより、サイドパネル５１，５２が伸縮性を発揮する場合がある。【０１６９】
ここで、シート状の部材について「曲げ剛性」とは、分断部分７またはサイドパネル５１，５２の部材を構成する部材のヤング率と厚みの３乗との積で定義する。
なお、「曲げ剛性」の別の測定方法としては前記切り出した各部材について前縁と後縁とが互いに重なるように２重に折り曲げ、その折り曲げに必要な荷重の大きさによって知ることができる。【０１７０】
なお、内皮７１および／または外皮７２は曲げ剛性が小さい代わりに、前述の伸縮部材で形成されていてもよい。このようなシート状の部材は足の屈曲に追従するからである。【０１７１】
前記外皮７２はテープ材７５が縫着されており、そのため、前記内皮７１は外皮７２よりも小さな曲げ剛性を有すると共に薄い。この薄く柔軟な内皮７１は図３８Ａ〜図３８Ｆのように容易に変形し、かつ、変形後にゴワツキを生じない。そのため、サイドパネル５１，５２と足の側面との間の小さな狭い空間においても変形し得る。【０１７２】
一方、前記テープ材７５が縫着された外皮７２は内皮７１よりも大きな曲げ剛性および大きな厚さを有しており、図２９および図３６のように、アッパー２の外部（外方）に向って膨れて湾曲する。これにより、分断部分７の図３８Ａ〜図３８Ｃに示す変形が許容される。
なお、外皮７２は曲げ剛性においてサイドパネル５１，５２よりも小さければ、サイドパネル５１，５２よりも大きな厚さを有していてもよい。【０１７３】
前記テープ材７５が縫着された外皮７２は内皮７１よりも前後方向において大きな引張剛性を有する。この外皮７２の大きな引張剛性はアッパー２が分断部分７において前後方向に引っ張られることに対する抗力となる。
なお、前記テープ材は外皮７２およびその前後のメインアッパー２Ｍにわたって縫着されている。【０１７４】
図３２に示す内皮７１および外皮７２を構成する織物（織布）は、これを構成する糸が前後方向および上下方向Ｚ１，Ｚ２に延びている。したがって、内皮７１および外皮７２は前後方向に伸びにくく、かつ、前後方向および上下方向Ｚ１，Ｚ２に交差する斜め方向に伸び易い。このような糸の向きは分断部分７が図３９Ｃの形状から図３９Ｄの形状に変化するのを妨げにくい。【０１７５】
図３０および図３１において、前記サイドパネル５１，５２および前記分断部分７は前方に行くに従い上方に向かう斜め方向に沿って細くなり、前記ソール１の上面から前記第２開口Ｐ２まで延びている。前記各サイドパネル５１，５２および分断部分７とソール１の上面とのなす角θは４０°〜５５°程度に設定されており、先端部５３の後端は下端部５４の前端よりも前方（Ｙ１）に配置されている。そのため、図２７の第２引張力ＦＷ２が増大すると、前記サイドパネル５１，５２の後縁５０４は、分断部分７の後縁に接近するように下端部５４を中心に回転する。【０１７６】
このようにサイドパネル５１，５２が回転するためには、サイドパネル５１，５２の斜め前後方向Ｙの幅Ｗ５が小さいことが好ましい。
サイドパネル５１，５２の幅Ｗ５は、先端Ｗ５１において５ｍｍ〜２０ｍｍ、下端Ｗ５２において１５ｍｍ〜３５ｍｍ程度が好ましく、先端Ｗ５１において７ｍｍ〜１７ｍｍ、下端Ｗ５２において２０ｍｍ〜３０ｍｍ程度が更に好ましい。
なお、幅Ｗ５の幅が小さすぎると、サイドパネル５１，５２を介して足の側面に作用するシューレース３による締付力が大きくなりすぎるおそれがある。【０１７７】
図３３および図３５に示すように、前記斜め前後方向Ｙに互いに隣接する第１ハトメＨ１間の第１距離Ｄｙよりも前記第２ハトメＨ２３とその前方の第１ハトメＨ１２までの第２距離Ｄｙ１が大きく、かつ、前記第１距離Ｄｙよりも前記第２ハトメＨ２３とその後方の第１ハトメＨ１４までの第３距離Ｄｙ２が大きい。
この場合、図２７のシューレース３のＶ字状の部位３３，３４がなす角αが比較的大きい。そのため、第１または第２引張力ＦＷ１、ＦＷ２の変化により、第２ハトメＨ２３が斜め前後方向Ｙに変位し易い。【０１７８】
つぎに、本実施例の靴を試験例５とし、前述の試験例１〜４と同様のテストを行った。その結果を図４０の図表に示す。【０１７９】
この試験例５の場合、全てのハトメ間距離Ｄ１〜Ｄ６の変化量ΔＤ１〜ΔＤ６の総量ΣΔＤは、図２１Ａ〜図２１Ｃおよび図２２Ａの試験例１〜４に比べ更に小さくなっていることが分る。
特に、第２ハトメＨ２３よりも後方の第１ハトメＨ１４〜Ｈ１６に関して、前記変化量ΔＤ４〜ΔＤ６が小さく、しかも変化量ΔＤ４、ΔＤ５がマイナス側に変化していることが分る。【０１８０】
つまり、ハトメ間距離Ｄ３〜Ｄ６が大きくなりにくく、したがって、履き口（第１開口Ｐ１）におけるフィット性が高い。【０１８１】
以下、その理由を本実施例の靴を着用した場合のアッパー２と共に考察する。
まず、図２８、図３３および図３５のフットフラットの状態（ソール１の爪先および踵が接地した状態）から図２９、図３４および図３６のヒールライズ（ソール１の爪先が接地し踵が離地して上方に上がった状態）に至る場合のアッパー２の変形について説明される。【０１８２】
図３８Ａのフットフラットの状態から図３８Ｂおよび図３８Ｃのヒールライズに至る間に、ＭＰ関節が背屈するのに伴い、アッパー２の上縁（トップ）は凹字状に縮み、分断部分７が変形する。
ここで、分断部分７の剛性が大きいと、前記アッパー２の上縁が縮もうとするのに伴い、図２９の第１開口Ｐ１および第２開口Ｐ２が横方向に拡がるだろう。
これに対し、本実施例（試験例５）のアッパー２は柔軟な分断部分７を中足部分に有する。そのため、前記ＭＰ関節の背屈に伴うアッパー２の変形が容易となり、前記距離Ｄ３〜Ｄ６が大きくなるのが抑制される。【０１８３】
なお、前記背屈により、図３３および図３５の第１ハトメＨ１２とＨ１４との間の距離（Ｄｙ１＋Ｄｙ２）は、それぞれ、図３４および図３６のように縮む。【０１８４】
図３４の足の内側において、前記ＭＰ関節の背屈に伴い、前記第３距離Ｄｙ２は短くなっており、足の内側の第１サイドパネル５１は下端部５４を中心に分断部分７の後縁７４に向かって回転するように変形することが分る。これにより、第２ハトメＨ２３は後方の第１ハトメＨ１４に対し斜め前後方向の後方Ｙ２に相対的に変位していることが分る。すなわち、図３９Ａの角θが大きくなることにより図３０の第２ハトメＨ２３は第１ハトメＨ１４に対し上方Ｚ１に向って（周方向に）変位する。【０１８５】
一方、図３５の足の外側において、前記ＭＰ関節の背屈に伴い、前記分断部分７よりも前方（前足部分）のメインアッパー２Ｍは足の小趾球付近において大きく歪み、前記第２距離Ｄｙ１が短くなっていることが分る。したがって、足の外側の第２サイドパネル５２の前縁５０３に分断部分７の前縁７３が接近し、これにより、第２ハトメＨ２３は前方の第１ハトメＨ１２に対し斜め前後方向の前方Ｙ１に相対的に変位していることが分る。【０１８６】
なお、このように、足の内外で分断部分７およびメインアッパー２Ｍの変形が相違する理由は、背屈時の足の変形が内外において相違するからであると推測される。また、前記背屈時に足の甲が斜め前方の上方に盛り上がることにより図２９の第２ハトメＨ２３、Ｈ２３間の距離Ｄ３は若干大きくなったものと推測される。【０１８７】
つぎに、図４１Ａおよび図４１Ｂを参照して第６実施例について説明される。
これらの図に示すように、第２ハトメＨ２は釣糸のような伸縮部材１０５の先端にヒンジ１０６を持つループで形成されていてもよい。なお、伸縮部材１０５はチューブ１０７内を挿通されている。【０１８８】
以上のとおり、図面を参照しながら好適な実施例を説明したが、当業者であれば、本明細書を見て、自明な範囲内で種々の変更および修正を容易に想定するであろう。
たとえば、サイドパネルはメインアッパーの外表面に沿って設けられてもよい。また、サイドパネルの伸縮部は足の内側面または外側面の一方にのみ設けられてもよい。【０１８９】
また、一対のサイドパネルを設け、一対のサイドパネルの一方にのみ伸縮部が設けられてもよいし、サイドパネルの位置は前後方向にずらして（斜向いに）配置してもよい。【０１９０】
また、伸縮部を有していないサイドパネルが一対設けられ、かつ、アッパーの前記サイドパネル以外の部分に伸縮部が設けられてもよい。この場合、伸縮部が設けられた第２ハトメが移動するだけでなく、サイドパネルに設けた第１ハトメが斜め前後方向に移動する。【０１９１】
また、第１部はゴム弾性を持つ素材で形成されてもよいし、この場合、前後方向に直線状に設けられてもよい。また、第１部は必ずしも設ける必要がない。【０１９２】
したがって、そのような変更および修正は、請求の範囲から定まる本発明の範囲内のものと解釈される。
【産業上の利用可能性】
【０１９３】
本発明は靴のアッパーを足にフィットさせるシューレースを備えた靴に適用される。
【符号の説明】
【０１９４】
１：ソール
２：アッパー
２Ｍ：メインアッパー（主部）
２ｔ：テープ材
２０：第１側縁部
２０Ａ：第１側縁部
２０Ｂ：第２側縁部
２１：内側面
２２：外側面
２３：表面材
２４：裏面材
２５：切欠き
２９：収容部
３：シューレース
３３，３４：Ｖ字状の部位
４：舌片
５：伸縮部（可動部）
５Ａ：伸縮部（可動部）
５Ｂ：伸縮部（可動部）
５０：第１部
５０ａ：補強材
５９：第２部
５１：第１サイドパネル（可動部）
５２：第２サイドパネル（可動部）
５３：（サイドパネルの）先端部（第２側縁部）
５３ａ：ハトメ部材
５３ｂ：ハトメ部材
５４：（サイドパネルの）下端部
５５：（サイドパネルの）中間部
５５ｈ：貫通孔
５０１：（サイドパネルの）内表面
５０２：（サイドパネルの）外表面
５０３：（サイドパネルの）前縁
５０４：（サイドパネルの）後縁
７：分断部分
７１：内皮
７２：外皮
７３：前縁
７４：後縁
７５：テープ材
７１１：（内皮の）内表面
７１２：（内皮の）外表面
７２１：（外皮の）内表面
７２２：（外皮の）外表面
Ｂ：背面
Ｂ４1：第１趾の中足骨
Ｂ４1ｈ：（第１趾の中足骨の）骨頭
Ｂ４1ｂ：（第１趾の中足骨の）骨底
Ｂ４４ ：第４趾の中足骨
Ｂ４４ｈ：（第４趾の中足骨の）骨頭
Ｂ４４ｂ：（第４趾の中足骨の）骨底
Ｄｙ：第１距離
Ｄｙ１：第２距離
Ｄｙ２：第３距離
ｆ１：第１趾
ｆ４：第４趾
ｆ５：第５趾
ＦＷ：合力
ＦＷ１：第１の引張力
ＦＷ２：第２の引張力
Ｈ１：第１ハトメ
Ｈ２：第２ハトメ
ＩＮ：内側方向
Ｉｓ：甲
ＯＵＴ：外側方向
Ｐ１：（アッパーの）第１開口
Ｐ２：（アッパーの）第２開口
Ｌｅ：脚
ＬＪ：リスフラン関節
ＭＰ：ＭＰ関節
Ｒ：周方向
Ｓ１：（足の）内側面
Ｓ２：（足の）外側面
Ｔ：爪先
Ｗ５：サイドパネルの幅
Ｗ７：分断部分の幅
Ｗ５１：先端
Ｗ５２：下端
Ｘ：横方向
Ｙ：斜め前後方向
Ｙ１：前方
Ｙ２：後方
Ｚ１：上方
Ｚ２：下方
ΔＳ１：前隙間
ΔＳ２：後隙間
θ：角度
【図１】
2011004619.tif 000003
【図２】
2011004619.tif 000004
【図３】
2011004619.tif 000005
【図４】
2011004619.tif 000006
【図５】
2011004619.tif 000007
【図６】
2011004619.tif 000008
【図７】
2011004619.tif 000009
【図８】
2011004619.tif 000010
【図９】
2011004619.tif 000011
【図１０】
2011004619.tif 000012
【図１１】
2011004619.tif 000013
【図１２】
2011004619.tif 000014
【図１３】
2011004619.tif 000015
【図１４】
2011004619.tif 000016
【図１５】
2011004619.tif 000017
【図１６】
2011004619.tif 000018
【図１７】
2011004619.tif 000019
【図１８】
2011004619.tif 000020
【図１９】
2011004619.tif 000021
【図２０】
2011004619.tif 000022
【図２１】
2011004619.tif 000023
【図２２】
2011004619.tif 000024
【図２３】
2011004619.tif 000025
【図２４】
2011004619.tif 000026
【図２５】
2011004619.tif 000027
【図２６】
2011004619.tif 000028
【図２７】
2011004619.tif 000029
【図２８】
2011004619.tif 000030
【図２９】
2011004619.tif 000031
【図３０】
2011004619.tif 000032
【図３１】
2011004619.tif 000033
【図３２】
2011004619.tif 000034
【図３３】
2011004619.tif 000035
【図３４】
2011004619.tif 000036
【図３５】
2011004619.tif 000037
【図３６】
2011004619.tif 000038
【図３７】
2011004619.tif 000039
【図３８】
2011004619.tif 000040
【図３９】
2011004619.tif 000041
【図４０】
2011004619.tif 000042
【図４１】
2011004619.tif 000043
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着地時に脚が上方に出る第１開口と、前記第１開口の前方に設けられた第２開口とを有しており、前記２つの開口は、前後に互いに連なっており；
前記アッパーは、
前記第２開口の側縁に沿って設けられ前記シューレース手段が通過すると共に係合する複数の第１ハトメを有する第１側縁部と、
前記複数の第１ハトメの間に配置され前記シューレース手段が通過すると共に係合する１以上の第２ハトメを有する第２側縁部と、
前記第２開口を横断する横方向および前記横方向に直交し足の甲に沿った斜め前後方向に、前記第２ハトメが前記第１ハトメに対し移動するのを可能とする可動部と、
足の内側面、外側面、爪先、甲および背面を覆い、前記第１側縁部を含み、かつ、前記第２側縁部および可動部を除く主部とを備え、
フットフラットからヒールライズに至る間に、前記第２ハトメに係合する前記シューレース手段のＶ字状の部位により前記第２側縁部に働く第１引張力および第２引張力の合力の方向が変化するのに伴い、前記第２ハトメを含む第２側縁部が前記可動部を介して主部に対し前記横方向および斜め前後方向に相対的に変位することを特徴とする靴。
【請求項２】
請求項１の靴において、前記第２ハトメの前記斜め前後方向の前方には前記第１ハトメのうちの１つが隣接し、かつ、前記第２ハトメの前記斜め前後方向の後方には前記第１ハトメのうちの別の１つが隣接している。
【請求項３】
請求項２の靴において、前記複数の第１ハトメは前記斜め前後方向に互いに隣接する第１ハトメを包含し、
前記斜め前後方向に互いに隣接する第１ハトメ間の第１距離よりも前記第２ハトメとその前方の第１ハトメまでの第２距離が大きく、かつ、
前記第１距離よりも前記第２ハトメとその後方の第１ハトメまでの第３距離が大きい。
【請求項４】
請求項１の靴において、前記主部の内部または外部の空間において前記足の内側面または外側面に沿って前記第２開口から斜め後方の下方に向って延び前記足の内側面または外側面を覆うサイドパネルを更に備え、
前記サイドパネルが前記第２ハトメおよび前記可動部を包含し、
前記第１ハトメが形成された前記第１側縁部が前記サイドパネルの前後で分断されて分断部分が前記主部に形成され、
前記分断部分に前記サイドパネルが配置されている。
【請求項５】
請求項４の靴において、前記分断部分の前縁と前記サイドパネルの前縁との間には、前記斜め後方の下方に向って延びる前記サイドパネルが前記分断部分の前縁に向って相対的に接近することを許容する前隙間が形成されており、これにより、前記サイドパネルに設けた第２ハトメが前記第１ハトメに対し前記斜め前後方向の前方および前記横方向に相対移動可能となっている。
【請求項６】
請求項４の靴において、前記分断部分の後縁と前記サイドパネルの後縁との間には、前記斜め後方の下方に向って延びる前記サイドパネルが前記分断部分の後縁に向って相対的に接近することを許容する後隙間が形成されており、これにより、前記サイドパネルに設けた第２ハトメが前記第１ハトメに対し前記斜め前後方向の後方および前記横方向に相対移動可能となっている。
【請求項７】
請求項４の靴において、前記分断部分を形成するシート状の部材の曲げ剛性が前記分断部分の前後の前記主部を形成する部材の曲げ剛性よりも小さいか又は縮み易いシート状の部材で形成され、
前記分断部分のシート状の部材の曲げ剛性よりも前記サイドパネルを形成する部材の曲げ剛性が大きい。
【請求項８】
請求項７の靴において、前記分断部分は内皮と外皮とを有するポケット状に形成され、
前記内皮と外皮とは、前記分断部分の前縁および後縁において互いに前記横方向に離間している。
【請求項９】
請求項８の靴において、前記分断部分のシート状の部材は前記分断部分の前後の前記主部を形成する部材よりも薄い。
【請求項１０】
請求項４の靴において、足の内側の第１中足骨の骨頭から骨底の間の位置に１以上の前記第２ハトメが設けられており、かつ、足の内側において前記中足骨の骨底よりも後方の部位および前記中足骨の骨頭よりも前方の部位に前記第２ハトメが設けられていない。
【請求項１１】
請求項４の靴において、前記分断部分は内皮と外皮とを有するポケット状に形成され、
前記内皮は前記サイドパネルの内表面に接し、前記内皮の内表面は足の側面に接する前記主部の内表面よりも滑らかである。
【請求項１２】
請求項４の靴において、前記分断部分は内皮と外皮とを有するポケット状に形成され、前記サイドパネルの表面に接する前記内皮の外表面および前記外皮の内表面は前記主部の外表面よりも滑らかである。
【請求項１３】
請求項４の靴において、前記分断部分は内皮と外皮とを有するポケット状に形成され、前記分断部分は前方に行くに従い上方に向かう斜め方向に沿って前記ソールの上面から前記第２開口まで延び、前記内皮および外皮は前記斜め方向に伸びることが可能な織物、編物またはメッシュ状のシート状物で形成されている。
【請求項１４】
請求項４の靴において、前記サイドパネルは前記ソールに固定された下端部と、前記第２側縁部を形成する先端部と、前記下端部と前記第２側縁部とを連ね前記可動部を構成する中間部とを包含し、
前記中間部および第２側縁部が前記ソールに前記下端部を介してのみ連らなっている。
【請求項１５】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
前記第２開口の側縁に沿って設けられ前記シューレース手段が通過すると共に係合する複数の第１ハトメを有する側縁部と、
足の内側面または外側面に沿って前記第２開口から下方ないし斜め下方に向って延び前記足の内側面または外側面を覆うサイドパネルと、
足の前記内側面、前記外側面、爪先、甲および背面を覆い前記側縁部を含み、かつ、サイドパネルを除く主部とを備え、ここにおいて、前記サイドパネルは、
前記サイドパネルの先端に設けられ前記シューレース手段が通過すると共に係合する第２ハトメを有し前記主部に付着されていない先端部と、
前記主部および／または前記ソールに付着される下端部と、
前記先端部と前記下端部との間に配置された中間部とを備え、
前記サイドパネルの先端部は前記第２開口を横断する横方向に直交し足の甲に沿った斜め前後方向に前記主部に対し相対移動可能であり、
第１ハトメを形成した側縁部が前後に分断された分断部分に前記サイドパネルが配置され、
前記斜め前後方向の幅において前記サイドパネルの幅が前記分断部分の幅よりも小さく、
前記分断部分を形成するシート状の部材が前記分断部分の前後の前記主部を形成する部材よりも曲げ剛性において小さいか又は縮み易く、
前記分断部分のシート状の部材の曲げ剛性よりも前記サイドパネルを形成する部材の曲げ剛性の方が大きい。
【請求項１６】
請求項１５の靴において、前記分断部分のシート状の部材は前記分断部分の前後の前記主部を形成する部材よりも薄い。
【請求項１７】
請求項１５の靴において、足の内側の第１中足骨の骨頭から骨底の間の位置に１以上の前記第２ハトメが設けられており、かつ、足の内側において前記中足骨の骨底よりも後方の部位および前記中足骨の骨頭よりも前方の部位に前記第２ハトメが設けられていない。
【請求項１８】
請求項１５の靴において、前記分断部分は内皮と外皮とを有するポケット状に形成され、
前記内皮は前記サイドパネルの内表面に接し、前記内皮の内表面は足の側面に接する前記主部の内表面よりも滑らかである。
【請求項１９】
請求項１５の靴において、前記分断部分は内皮と外皮とを有するポケット状に形成され、前記サイドパネルの表面に接する前記内皮の外表面および前記外皮の内表面は前記主部の外表面よりも滑らかである。
【請求項２０】
請求項１５の靴において、前記分断部分は内皮と外皮とを有するポケット状に形成され、前記分断部分は前方に行くに従い上方に向かう斜め方向に沿って前記ソールの上面から前記第２開口まで延び、前記内皮および外皮は前記斜め方向に伸びることが可能な織物、編物またはメッシュ状のシート状物で形成されている。
【請求項２１】
請求項１５の靴において、前記サイドパネルの下端部は前記ソールに固定され、前記中間部および先端部が前記ソールに前記下端部を介してのみ連らなっている。
【請求項２２】
請求項２１の靴において、前記分断部分の前縁と前記サイドパネルの前縁との間には、前記ソールから前記第２開口に近づくに従い斜め前方に向って延びる前記サイドパネルが前記分断部分の前縁に向って相対的に接近することを許容する前隙間が形成されており、これにより、前記サイドパネルに設けた第２ハトメが前記第１ハトメに対し前記斜め前後方向の前方に相対移動可能となっている。
【請求項２３】
請求項２１の靴において、前記分断部分の後縁と前記サイドパネルの後縁との間には、前記ソールから前記第２開口に近づくに従い斜め前方に向って延びる前記サイドパネルが前記分断部分の後縁に向って相対的に接近することを許容する後隙間が形成されており、これにより、前記サイドパネルに設けた第２ハトメが前記第１ハトメに対し前記斜め前後方向の後方に相対移動可能となっている。
【国際調査報告】
2011004619.tif 000044
2011004619.tif 000045
2011004619.tif 000046
2011004619.tif 000047